【手続補正書】
【提出日】平成20年11月27日(2008.11.27)
【手続補正１】
【補正対象書類名】特許請求の範囲
【補正対象項目名】全文
【補正方法】変更
【補正の内容】
【特許請求の範囲】
【請求項１】
エンターテインメントのイベントにおいて販売促進物品を提供する方法であって、
（ａ）少なくとも１人の観客に対して、前記イベントの間に前記販売促進物品についての注文を記録するための無線注文入力装置を提供するステップと、
（ｂ）前記少なくとも１人の観客に対して、前記イベントの間に前記注文入力装置を用いて前記販売促進物品についての注文を記録するように、催促表示を表示するステップと、
（ｃ）無線伝送によって、前記注文入力装置を用いて記録された前記注文を取得するステップと、
を含むことを特徴とする方法。
【請求項２】
エンターテインメントのイベントにおいて販売促進物品を提供する方法であって、
（ａ）少なくとも１人の観客に対して、前記イベントの間に前記販売促進物品についての注文を記録するための手作業注文入力装置を提供するステップと、
（ｂ）前記少なくとも１人の観客に対して、前記イベントの間に前記注文入力装置を用いて前記販売促進物品を注文するように、催促表示を表示するステップと、
（ｃ）前記少なくとも１人の観客から、完了した手作業注文入力装置を取得するステップと、
を含むことを特徴とする方法。
【請求項３】
エンターテインメントのイベントにおいて販売促進物品を提供する方法であって、
（ａ）少なくとも１人の観客に対して、前記エンターテインメントのイベントのチケットを提供するステップと、
（ｂ）前記チケットをスキャンするステップと、
（ｃ）前記エンターテインメントのイベントに対応して選択された販売促進物品についての選択メニューを表示するステップと、
を含むことを特徴とする方法。
【手続補正２】
【補正対象書類名】明細書
【補正対象項目名】００６３
【補正方法】変更
【補正の内容】
【００６３】
本発明に係る方法及び装置は、映画又は電子的に放送される公演に関連する販売促進物品を、観客が映画館又は他の展示会場にいる間に注文することを可能とする。本発明は、映画館の所有者及び展示施設の人員に大幅な量の柔軟性を可能にし、販売促進物品についての注文がエンターテインメントのイベントの直後に取得されることを可能にする。本発明は、上映の間に多くの種類の物品を製造することを可能とし、このことによって、エンターテインメントの終了時には、消費者５６のために物品の準備が整う。なお、以下に、付記として本発明の構成の例を示す。
（付記１）
展示施設において販売促進物品を提供する方法であって、
（ａ）前記展示施設において映画を上映するステップと、
（ｂ）少なくとも１人の観客に対して、前記映画の上映の間に前記販売促進物品についての注文を記録するための注文入力装置を提供するステップと、
（ｃ）前記注文入力装置を用いて行われた前記注文を取得するステップと、
を含むことを特徴とする方法。
（付記２）
付記１に記載の方法において、さらに、前記少なくとも１人の観客に対して、前記上映の間に、前記注文入力装置を用いて注文を行うように催促するステップを含むことを特徴とする方法。
（付記３）
付記２に記載の方法において、
前記販売促進物品は、映画コンテンツの部分を含み、
前記少なくとも１人の観客に対して催促するステップは、注文のために利用可能な前記映画の対応する部分の上映の直後の時間間隔の間に実行されることを特徴とする方法。
（付記４）
付記２に記載の方法において、
前記映画の上映の間に前記販売促進物品についての前記注文を記録するステップは、催促の後、予め設定された間隔の間に実行されることを特徴とする方法。
（付記５）
付記２に記載の方法において、さらに、
予め設定された施設プロファイルデータに従って、前記展示施設においてどの物品が利用可能であるかを判定するステップを含むことを特徴とする方法。
（付記６）
付記１に記載の方法において、
前記販売促進物品は、ポスター、ＤＶＤ、録音、前記映画の音声を伴うビデオ、衣料品、刺青、クーポン、食器、バナー、及びゲームソフトウェアからなるグループから選択されることを特徴とする方法。
（付記７）
付記２に記載の方法において、
前記催促するステップは、前記映画の上映の結末において繰り返されることを特徴とする方法。
（付記８）
付記２に記載の方法において、
前記催促するステップは、前記映画のためのデジタル映画ストリームの中に符号化された催促指示を復号化するステップを含むことを特徴とする方法。
（付記９）
付記１に記載の方法において、
前記注文を取得するステップは、前記注文入力装置のメモリを読み取るステップを含むことを特徴とする方法。
（付記１０）
付記２に記載の方法において、
前記催促するステップは、音声信号を提供するステップを含むことを特徴とする方法。
（付記１１）
付記２に記載の方法において、
前記催促するステップは、視覚信号を提供するステップを含むことを特徴とする方法。
（付記１２）
付記２に記載の方法において、
前記催促するステップは、振動信号を提供するステップを含むことを特徴とする方法。
（付記１３）
付記１に記載の方法において、
前記注文を記録するステップは、前記映画の上映の間に実行されることを特徴とする方法。
（付記１４）
付記１３に記載の方法において、さらに、
前記映画の上映の間に、前記販売促進物品を製造するステップを含むことを特徴とする方法。
（付記１５）
付記１に記載の方法において、
前記注文を取得するステップは、無線伝送を受信するステップを含むことを特徴とする方法。
（付記１６）
付記１に記載の方法において、
前記注文を取得するステップは、前記展示施設に設置された注文受け取り装置において実行されることを特徴とする方法。
（付記１７）
付記１に記載の方法において、
前記注文を記録する方法は、前記注文をネットワークサイトに伝送するステップを含むことを特徴とする方法。
（付記１８）
付記２に記載の方法において、
前記催促するステップは、表示スクリーンに視覚メッセージを表すステップを含むことを特徴とする方法。
（付記１９）
付記１に記載の方法において、
前記注文を取得するステップは、前記映画の上映の間に記録された観客の応答を確認するステップを含むことを特徴とする方法。
（付記２０）
付記１に記載の方法において、さらに、
前記映画から抽出されたシーンを表示するためのデータを提供することで、前記注文を履行するステップを含むことを特徴とする方法。
（付記２１）
付記２０に記載の方法において、
前記データは、ＤＶＤ、ランダムアクセスメモリ装置、及び磁気テープからなるグループから得られる記憶媒体上に記録されることを特徴とする方法。
（付記２２）
付記１に記載の方法において、さらに、
データをダウンロードすることで、前記販売促進物品についての前記注文を履行するステップを含むことを特徴とする方法。
（付記２３）
付記１に記載の方法において、
前記注文を取得するステップは、チケットの半券をスキャンするステップを含むことを特徴とする方法。
（付記２４）
付記１に記載の方法において、
前記注文入力装置を提供するステップは、前記観客によって携帯される携帯通信装置を有効化するステップを含むことを特徴とする方法。
（付記２５）
付記２４に記載の方法において、前記観客によって携帯される携帯通信装置を有効化するステップは、予め設定されたコードを入力するステップを含むことを特徴とする方法。
（付記２６）
付記１に記載の方法において、さらに、
注文データをネットワークサイトに提供するステップを含むことを特徴とする方法。
（付記２７）
付記１に記載の方法において、
前記注文入力装置は、使い捨ての装置であることを特徴とする方法。
（付記２８）
付記１に記載の方法において、
前記注文入力装置は、表示装置を含むことを特徴とする方法。
（付記２９）
付記１に記載の方法において、
前記注文入力装置は、音声スピーカを含むことを特徴とする方法。
（付記３０）
付記１に記載の方法において、
前記注文入力装置は、セキュリティタグを含むことを特徴とする方法。
（付記３１）
付記１に記載の方法において、
前記販売促進物品は、デジタル映画データストリームから取得されることを特徴とする方法。
（付記３２）
付記１に記載の方法において、
前記注文入力装置は、タッチスクリーンを含むことを特徴とする方法。
（付記３３）
エンターテインメントのイベントにおいて販売促進物品を提供する方法であって、
（ａ）少なくとも１人の観客に対して、前記イベントの間に前記販売促進物品についての注文を記録するための無線注文入力装置を提供するステップと、
（ｂ）前記少なくとも１人の観客に対して、前記イベントの間に前記注文入力装置を用いて前記販売促進物品についての注文を記録するように、催促表示を表示するステップと、
（ｃ）無線伝送によって、前記注文入力装置を用いて記録された前記注文を取得するステップと、
を含むことを特徴とする方法。
（付記３４）
エンターテインメントのイベントにおいて販売促進物品を提供する方法であって、
（ａ）少なくとも１人の観客に対して、前記イベントの間に前記販売促進物品を注文するための注文入力装置を提供するステップと、
（ｂ）前記少なくとも１人の観客に対して、前記イベントの間に前記注文入力装置を用いて前記販売促進物品についての注文を記録するように、催促表示を表示するステップと、
（ｃ）有線伝送によって、前記注文入力装置を用いて行われた前記注文を取得するステップと、
を含むことを特徴とする方法。
（付記３５）
付記３３に記載の方法において、さらに、
前記無線注文入力装置にデータ伝送することで前記注文を履行するステップを含むことを特徴とする方法。
（付記３６）
付記３５に記載の方法において、
前記注文を履行するステップは、着信音、又は着信音として用いられるビデオ小片を提供するステップを含むことを特徴とする方法。
（付記３７）
エンターテインメントのイベントにおいて販売促進物品を提供する方法であって、
（ａ）少なくとも１人の観客に対して、前記イベントの間に前記販売促進物品についての注文を記録するための手作業注文入力装置を提供するステップと、
（ｂ）前記少なくとも１人の観客に対して、前記イベントの間に前記注文入力装置を用いて前記販売促進物品を注文するように、催促表示を表示するステップと、
（ｃ）前記少なくとも１人の観客から、完了した手作業注文入力装置を取得するステップと、
を含むことを特徴とする方法。
（付記３８）
付記３７に記載の方法において、
前記催促表示を表示するステップは、前記手作業注文入力装置に前記催促表示を記録するステップを含むことを特徴とする方法。
（付記３９）
付記３７に記載の方法において、
前記注文入力装置は、チケットを含むことを特徴とする方法。
（付記４０）
付記３７に記載の方法において、
前記完了した手作業入力装置を取得するステップは、さらに、前記手作業入力装置をスキャンして前記注文を取得するステップを含むことを特徴とする方法。
（付記４１）
付記３９に記載の方法において、
前記注文を記録するステップは、前記チケットの一部領域を取り除くステップを含むことを特徴とする方法。
（付記４２）
エンターテインメントのイベントにおいて販売促進物品を提供する方法であって、
（ａ）少なくとも１人の観客に対して、前記エンターテインメントのイベントのチケットを提供するステップと、
（ｂ）前記チケットをスキャンするステップと、
（ｃ）前記エンターテインメントのイベントに対応して選択された販売促進物品についての選択メニューを表示するステップと、
を含むことを特徴とする方法。
（付記４３）
付記１に記載の方法において、
前記注文を取得するステップは、前記展示施設においてメッセージ妨害信号を無効化するステップを含むことを特徴とする方法。
（付記４４）
付記２４に記載の方法において、
前記注文を取得するステップは、前記携帯通信装置から、可能なキー順の集合のいずれかを受け取るステップを含むことを特徴とする方法。
（付記４５）
付記２４に記載の方法において、さらに、
前記携帯通信装置に関連付けられたユーザ口座に請求するステップを含むことを特徴とする方法。